(57)【特許請求の範囲】
【請求項１】
患者支持装置であって、
第一及び第二端を有する長形の基部と、
前記基部に回転可能に取り付けられ、床と係合する複数のキャスターと、
上部デッキと、
前記上部デッキを低位置と高位置との間で移動可能に支持するために、前記基部の第一及び第二端に隣接して前記基部に結合される第一及び第二アクチュエーターであって、前記第一アクチュエーターは前記上部デッキの第一端の垂直位置を制御し、前記第二アクチュエーターは前記上部デッキの第二端の垂直位置を制御する、第一及び第二アクチュエーターと、
長手方向軸を有して、前記長手方向軸の周りを回転するためと前記長手方向軸に沿って移動するために前記基部に結合される延長シャフトと、
前記シャフトが第一の向きに回転したときに前記床から離間する第一位置と、前記シャフトが前記第一の向きと逆の第二の向きに回転したときに前記床に係合する第二位置との間で基部に対する移動のために前記シャフトに結合されているホイールと、
前記基部の第二端に隣接して移動可能に取り付けられるフットペダルと、を備え、
前記フットペダルは、前記基部の第二端に隣接する前記シャフトの一部と係合して、前記シャフトを前記シャフトの前記長手方向軸に沿って前記基部の第一端に向かって移動させ、前記第一アクチュエーターに前記上部デッキの第一端の前記垂直位置を調節させるように構成される患者支持装置。
【請求項２】
請求項１に記載の装置であって、
前記基部の第一端と第二端とがヘッドエンドとフットエンドに対応して、
前記第一と第二アクチュエーターがヘッドエンドアクチュエーターとフットエンドアクチュエーターに対応して、
前記フットペダルが前記フットエンドに隣接する前記基部に移動可能に取り付けられ、前記フットエンドに隣接する前記シャフトの一部に係合して前記シャフトを前記ヘッドエンドに向かい移動して前記ヘッドエンドアクチュエーターが前記上部デッキの前記ヘッドエンドを下げるように構成される。
【請求項３】
請求項２に記載の装置であって、
前記アクチュエーターは液圧シリンダーであり、
前記基部の前記フットエンドに隣接して移動可能に取り付けられ、前記基部に対して前記上部デッキを持ち上げるために各液圧シリンダーに液体を注入するための前記液圧シリンダーに結合されているフットポンプペダルを前記装置は更に含む。
【請求項４】
請求項３に記載の装置であって、
前記ヘッドエンド液圧シリンダーは圧力リリースボタンを含み、
前記基部の前記ヘッドエンドに隣接するシャフトの一部はシャフトがヘッドエンドに向かい移動されるときに前記圧力リリースボタンと係合して、前記上部デッキのヘッドエンドを下げるためにヘッドエンド液圧シリンダーの液圧を解放するように構成されている。
【請求項５】
請求項４に記載の装置であって、
前記フットペダルを前記フットエンドに隣接する前記シャフトの一部に選択的に結合する第一リンクアッセンブリを更に含む。
【請求項６】
請求項５に記載の装置であって、
前記第一リンクアッセンブリは、外側に延長する略水平部分と、中間基礎部分と、下方に延長する略垂直部分とを有する作動部材を含み、
前記フットペダルは前記略水平部分の自由端に結合され、
前記作動部材の前記基礎部分は前記基部の前記フットエンドに枢着され、
前記フットペダルの作動により前記作動部材の下方延長部分を回転させ、
前記下方延長部分の自由端は、前記フットエンド付近の前記シャフトの一部と係合して前記シャフトを前記ヘッドエンドに向かい並進させるように構成され、
前記シャフトが前記ヘッドエンドに向かい並進することにより前記圧力リリースボタンが前記ヘッドエンド液圧シリンダーの液圧を解放して、次に前記上部デッキの前記ヘッドエンドを下げる。
【請求項７】
請求項５に記載の装置であって、
前記第一リンクアッセンブリは前記フットエンドに隣接する前記シャフトに取り付けられた横板を更に含み、
前記下方延長部分の前記自由端は前記横板と係合して前記横板及びそこに取り付けられている前記シャフトを前記ヘッドエンドに向かい並進させるように構成され、
前記シャフトの前記ヘッドエンドに向かい並進することで前記圧力リリースボタンを作動させ前記ヘッドエンド液圧シリンダーの液圧を解放して、次に前記上部デッキの前記ヘッドエンドを下げる。
【請求項８】
請求項７に記載の装置であって、
前記第一リンクアッセンブリは、前記シャフトに結合して前記フットペダルが解放されたときに前記シャフトをその元の位置に戻すばねを更に含む。
【請求項９】
請求項４に記載の装置であって、
前記基部の前記フットエンドに隣接して移動可能に取り付けられる第二フットペダルと、
前記フットエンド液圧シリンダーは圧力リリースボタンを含み、
前記第二フットペダルは、前記フットエンド液圧シリンダーに結合する前記圧力リリースボタンと係合して、前記フットエンド液圧シリンダー内の液圧を解放して前記上部デッキの前記フットエンドを下げるように構成されている。
【請求項１０】
請求項１に記載の装置であって、
ブレーキ位置とステア位置との間で移動するように前記フットエンド付近で前記基部に取り付けられるブレーキステアペダルと、
前記ブレーキステアペダルが前記ブレーキ位置に移動されると前記シャフトが第一の向きに移動して前記ホイールが床から離間し、前記ブレーキステアペダルが前記ステア位置に移動されると前記シャフトが第二の向きに移動され前記ホイールが床と係合するように、前記ブレーキステアペダルを前記シャフトに結合するためのフットエンドリンクアッセンブリとを更に含む。
【請求項１１】
請求項１０に記載の装置であって、
前記シャフトは前記ブレーキ及びステア位置との中間の第三中立位置を有する。
【請求項１２】
請求項１０に記載の装置であって、
前記フットエンドリンクアッセンブリは、前記基部の前記フットエンドに回転可能に結合され、両端に隣接するブレーキステアペダルを支持する前記クロスシャフトを含み、
前記フットエンドリンクアッセンブリは、前記クロスシャフトに固定される曲げリンクと、前記曲げリンクに枢着されている第一端と前記シャフトの前記フットエンドに固定される短いリンクに枢着されている第二端とを有する連結リンクとを更に含み、
前記ブレーキステアペダルが前記ブレーキ位置に回転することにより前記シャフトが前記第一の向きに回転して前記ホイールを床から持ち上げ、
前記ブレーキステアペダルが前記ステア位置に回転することにより前記シャフトが前記第二の向きに回転して前記ホイールを下げて床と係合する。
【請求項１３】
請求項１に記載の装置であって、
前記シャフトを前記ホイールに結合するステアリングホイール支持アッセンブリを更に含み、
前記ステアリングホイール支持アッセンブリは、前記ホイールを支持して前記基部に枢着されて前記ホイールが床から離間している第一位置と前記ホイールが床と係合する第二位置との間で移動するブラケットと、前記ホイールが床から離間しているときに前記ブラケットを前記第一位置に付勢するばねと、前記シャフトが前記第二の向きに回転されているときに前記ホイールが床と係合している前記第二位置に前記ブラケットを移動させるように前記ブラケットと係合する構成の前記シャフトに固定されているカムとを含む。
【請求項１４】
患者支持装置であって、
第一及び第二端を有する長形の基部と、
上部デッキと、
前記上部デッキを低位置と高位置との間で移動可能に支持するために、前記基部の第一及び第二端に隣接して前記基部に結合される第一及び第二アクチュエーターであって、前記第一アクチュエーターは前記上部デッキの第一端の垂直位置を制御し、前記第二アクチュエーターは前記上部デッキの第二端の垂直位置を制御する、第一及び第二アクチュエーターと、
長手方向軸を有して、前記長手方向軸に沿って移動するために前記基部に結合する延長シャフトと、
前記基部の第二端に隣接して移動可能に取り付けられるフットペダルと、を備え、
前記フットペダルは、前記基部の第二端に隣接する前記シャフトの一部と係合して、前記シャフトを前記シャフトの前記長手方向軸に沿って前記基部の第一端に向かって移動させ、前記第一アクチュエーターに前記上部デッキの第一端の前記垂直位置を調節させるように構成される患者支持装置。
【請求項１５】
請求項１４に記載の装置であって、
前記シャフトは前記長手方向軸の周りを回転するために前記基部に結合して、
前記装置は、前記基部に回転可能に取り付けられ床と係合する複数のキャスターと、前記シャフトが第一の向きに回転したときに前記床から離間する第一位置と、前記シャフトが前記第一の向きと逆の第二の向きに回転したときに前記床と係合する第二位置との間で前記基部に対する移動のために前記シャフトに結合されているホイールとを更に含む。
【請求項１６】
請求項１５に記載の装置であって、
前記シャフトを前記ホイールに結合するステアリングホイール支持アッセンブリを更に含み、
前記ステアリングホイール支持アッセンブリは、前記ホイールを支持して前記基部に枢着されて前記ホイールが床から離間している第一位置と前記ホイールが床と係合する第二位置との間で移動するブラケットと、前記ホイールが床から離間しているときに前記ブラケットを前記第一位置に付勢するばねと、前記シャフトに固定されて前記シャフトが前記第二の向きに回転されているときに前記ホイールが床と係合している前記第二位置に前記ブラケットを移動させるように前記ブラケットと係合する構成のカムとを含む。
【発明の詳細な説明】
【０００１】
＝＝＝発明の背景及び概要＝＝＝
本発明は、一般的に病院用ストレッチャ（hospital stretcher）に関し、特には、Ｘ線透視法（fluoroscopy）イメージングに適しているイメージングストレッチャに関する。
【０００２】
Ｃ形アームを有するＸ線透視法イメージングは、診断及び外科用の視覚化のために介護者（caregiver）により使用される。従来の数々のイメージング台は手術台に基づいた設計である。これらの台はカンチレバー状の設計で、一つの支柱から支持面が延長する場合が多い。そのような台は通常全て電子制御されて、相対的に大きく重く、また高価である。典型的には、手術室タイプの台を有する部屋が医療施設に設けられて、Ｘ線透視法での観察に必要な場合にＣ形アームは部屋に一時的に持ち込まれる。
【０００３】
外来病院、クリニック、特にペインマネジメントクリニックの数の増加により、安価で可搬型のイメージングストレッチャが必要とされてきている。ペインマネジメントの手順において、患者は支持面にうつ伏せの状態で寝かされて、脊柱の特定の部分に神経鈍麻用溶液（nerve-deadening solution）が注射針から注入される。このような手順のときに、Ｃ形アームを用いたＸ線透視法イメージングは患者の中の注射針の位置を特定するのに使用される。Ｃ形アームは脊柱の特定の部分を視覚化するために配置される必要があり、そのためにはＣ形アームは支持面に横たわっている患者の首から腰にかけて移動され、様々な角度に傾斜され、患者を支持する表面から妨げられずに垂直から水平の配向に回転されることが必要である。介護者には、支持面に横たわる患者の尾骨から頭までにおいて妨げられることがないＸ線窓を備え、患者の周り及び下からＣ形アームを傾け操作できる安価なイメージングストレッチャが高く評価される。
【０００４】
現在市場には、Ｃ形アーム手順に使用できるＸ線透過性表面を有するストレッチャもあるが、それらは側面下部に相対的に広い金属構造物を伴う表面を有しており、Ｃ形アームを回転することと患者を垂直及び水平に撮像することを妨害する。これらのストレッチャには、大きなＸ線窓を設けるために端から端に摺動する上部デッキあるいは担架を有するものもあるが、それらは摺動が十分でないので、Ｃ形アームが担架に支持される患者の頭部の下に配置されて、Ｃ形アームを患者の下から引き出さずに首を通して斜めに撮像することができない。また、これらのストレッチャでは、Ｃ形アームは支障なく頭部から腰まで移動することはできない。これらのストレッチャには、Ｃ形基部を有し、そのため一辺のみからＣ形アームがアクセスできるものもある。
【０００５】
本発明のイメージングストレチャは、ヘッドエンドとフットエンドとを有する基部と、放射線透過性材から形成される上部デッキと、基部のヘッドエンドとフットエンドとのそれぞれに隣接して結合され上部デッキを移動可能に支持するアクチュエーターとを含む。本発明の一態様によると、ヘッドエンドとフットエンドアクチュエーターは広く離間しており、上部デッキに支持されている患者のＸ線透視イメージングを妨げるあらゆる構成を有しない基部上の中央イメージング領域を画定する。
【０００６】
本発明のさらなる態様によると、ヘッドエンド及びフットエンドアクチュエーターは上部デッキに結合され、上部デッキは基部のフットエンドに向かい移動可能となる。本発明の別の態様によると、上部デッキは解除され所望の位置に移動され固定して位置づけられることができる。本発明のまた別の態様によると、上部デッキが基部のフットエンドに向かい移動することにより中央イメージング領域のヘッドエンドとフットエンドアクチュエーターとの間のデッキに支持される患者の頭部を配置することができる。本発明のさらなる態様によると、ヘッドエンドとフットエンドアクチュエーターの間に延長する基部の一部は端部セクションよりも床に近く形成されキャスターを支持して、中央イメージング領域のアクチュエーターの間に上部デッキと基部との間に更にクリアランスを提供する。
【０００７】
本発明のさらなる態様によると、上部デッキは下げられた位置と上げられた位置との間で移動可能であり、上部デッキのフットエンドがヘッドエンドより上に上げられている第一位置（トレンデレンベルグ（Trendelenburg）体位）と、上部デッキのヘッドエンドがフットエンドよりも上に上げられている第二位置（逆トレンデレンベルグ体位）との間で枢動可能である。
【０００８】
本発明のまた更なる態様によると、上部デッキはヘッドエンド付近に切り取り部を含むように形成されており、上部デッキ上にうつ伏せで横になっている患者の顔に空間を与えることができる。本発明の別の態様によると、上部デッキは第一側部と第二側部との付近に一対の開口を含み形成されており、着脱可能の一対のサイドレールを支持する。本発明の更に別の態様によると、上部デッキは放射線透過性材から形成される複数のハンドルを含むように形成される。本発明の更なる態様によると、切り取り部と、サイドレール用の開口と、ハンドルとは全て上部デッキと一体に成型される。
【０００９】
本発明の別の態様によると、縦軸を有する長形シャフトは基部に結合されており縦軸の周りで移動する。フットペダルは基部のフットエンドに隣接して移動可能に取り付けられており、フットエンド付近のシャフトの一部と係合するように構成されることにより、シャフトをヘッドエンドに向かって移動して、ヘッドエンドアクチュエーターに上部デッキのヘッドエンドの上昇を調整させる。本発明のまた別の態様によると、シャフトは基部に取り付けられ第一の向きと第二の向きとの間で縦軸の周りを回転する。ステアリングホイールはシャフトに結合されており、シャフトが第一の向きへ回転して床から離間している第一位置とシャフトが第二の向きへ回転して床と係合している第二位置との間で基部に対して移動する。
【００１０】
本発明の更なる特徴は、現段階で知得している、本発明を実施するための最良の形態を例示する好適な実施例についての以下の詳細な説明を検討することにより、当業者にとって明白となるだろう。
【００１１】
＝＝＝図面の詳細な説明＝＝＝
本明細書において「ストレッチャ」という用語が使用されているが、本発明の新規な特徴は、例えば病院のベッドや手術台など、どのような患者支持装置の種類にも組み込まれることができると理解される。また「Ｘ線透視法」という用語も本明細書では便宜上使用されているが、いかなるイメージング法も含むと解釈される。また「液圧ポンプ」、「液圧シリンダー」、或いは「液圧ポンプ／シリンダーアッセンブリ」という定義は、上部デッキを持ち上げ、下降して、或いは傾斜するためのいかなる液圧式、空気式、機械的或いは電気的装置も含むと解釈される。すなわち、本発明の特徴はストレッチャ、Ｘ線透視装置或いは液圧装置との使用に限定されるものではない。
【００１２】
図１から図４を参照すると、本発明に基づいたストレッチャ２０は、比較的大きなホイールベースを有する背の低い基部２２と、基部２２に結合された比較的細い摺動可能に取り付けられた上部デッキ２４と、基部２２を覆う保護離隔板２６と、ヘッドエンド３２と、フットエンド３４と、延長した第一側部３６と、延長した第二側部３８と、縦方向軸４０とを含む。この説明で使用されるように、「ヘッドエンド３２」という語句はストレッチャ２０のヘッドエンド３２の一番近くに置かれるように位置される対象物の端部を意味して、「フットエンド３４」という語句はストレッチャ２０のフットエンド３４の一番近くに置かれるように位置される対象物の端部を意味する。同様に、「第一側部３６」という語句はストレッチャ２０の第一側部３６の一番近くに置かれるように位置される対象物の側部を意味して、「第二側部３８」という語句はストレッチャ２０の第二側部３８の一番近くに置かれるように位置される対象物の側部を意味する。
【００１３】
上部デッキ２４は、端から端まで及び側部から側部まで放射線透過性材料により形成され、上部デッキ２４に支持される患者のＸ線透視性観察を促進して、例えば疼痛管理手順を実施する。ストレッチャ２０は特に内視鏡検査、心臓カテーテル検査、及びＸ線透視装置を必要とする他の手順に適している。図１３に示すように、デッキ２４はストレッチャ２０のフットエンド３４に向かって移動可能であり、Ｃ形アーム４２が上部デッキ２４に支持される患者の頭部の下に位置することができて、横に延長する軸の周りを傾き、患者の首を通して斜めにイメージを撮像することを、患者の下からＣ形アームを引き出さなくてもできる。比較的に狭い上部デッキ２４（幅約２０インチつまり５０センチメートル）により、図１４に示すように、Ｃ形アーム４２は縦に延長する軸の周りを縦配向から水平配向に回転することができ、上部デッキ２４に支持される患者の頭部を、特に着脱不可能な金属サイドレールなどのサイドレールに妨害されることなく、水平にイメージを撮像できる。
【００１４】
基部２２は床２８上に四つのキャスタアッセンブル３０に支持されることで、ストレッチャ２０が床２８上を進み患者を運搬することができる。上部デッキ２４は基部２２上にリフティング機構５０に移動可能に支持され、基部２２に対して上部デッキ２４を上昇、下降、及び傾斜させることができる。例示するように、上部デッキリフティング機構５０はフレキシブルブーツ５６により覆われたヘッドエンド及びフットエンド液圧シリンダー５２及び５４とを含む。液圧シリンダー５２、５４（本明細書中、「アクチュエーター」ということがある。）は広く離間しており（約６０インチすなわち１５０センチメートル）、Ｃ形アーム４２を操作するための空間を設けている。液圧シリンダー５２，５４はそれぞれ基部２２に支持される液圧ポンプ６２，６４に結合される。ヘッドエンド液圧シリンダー５２は、基部２２に対して上部デッキ２４のヘッドエンド３２の垂直位置を制御して、フットエンド液圧シリンダー５４は基部２２に対して上部デッキ２４のフットエンド３４の垂直位置を制御する。液圧シリンダー５２，５４は上部デッキ２４の垂直位置を、患者の乗り降りを容易にする低い位置（床上約２４インチつまり６０センチメートル）と、上部デッキ２４に支持される患者の隣に立つ外科医に楽な位置を提供する高い位置（床上約４０インチすなわち１０２センチメートル）との間で調節する。更に、液圧シリンダー５２，５４は上部デッキ２４を三つの位置の一つに傾ける。その三つの位置は、図１に示す平らな水平位置と、図２に示す患者の足が患者の頭部より上に持ち上げられているトレンデレンベルグ体位と、図３に示す患者の頭部が患者の足より上に持ち上げられている逆トレンデレンベルグ体位とである。
【００１５】
図１及び図１４に示すように、患者を支持するために上部デッキ２４にはマットレスパッド７０が配置され得る。マットレスパッド７０は、特定の医療手順に必要である特別のサポートを提供するために、選択的に稼動される膨張バッグ（inflatable bladder）を含むことができ、その手順とは、例えば疼痛管理手順のために、患者がデッキ２４にうつ伏せの状態で横たわっているときに患者の脊柱をイメージングするなどである。図１から図４に示すように、上部デッキ２４は、ストレッチャ２０のヘッドエンド３２付近に持ち上げられた少々曲がっているプッシュハンドル７２を形成して、ストレッチャ２０の側部３４，３６に隣接したフットエンド３４付近に二つの下方に傾斜したサイドハンドル７４を形成するように構成されている。介護者はヘッドエンドプッシュハンドル７２或いは二つのフットエンドサイドハンドル７４のどちらかを掴みストレッチャ２０を床２８の上で移動させることができる。上部デッキ２４のロックを解放すると、介護者はヘッドエンドプッシュハンドル７２或いはフットエンドサイドハンドル７４を使用して上部デッキ２４を所望の位置に移動して、上部デッキ２４を所定位置でロックすることができる。介護者は上部デッキ２４を別の位置に移動して、診断或いは外科的な手順のために患者の体の別な部位を観察したいと望むかもしれない。ハンドル７２，７４の人間工学的な設計により心地よいグリップが提供される。
【００１６】
図４及び図１５に示すように、上部デッキ２４には切り取り部７６が形成されており、上部デッキ２４上でうつ伏せの状態で横たわっている患者の顔のために空間が設けられている。本発明の一つの態様に基づくと、デッキ２４がストレッチャ２０のフットエンド３４に向かって移動させられる場合、切り取り部７６が液圧シリンダー５２，５４の間でＸ線窓３００内に配置されるようにストレッチャ２０は構成され、図１３に示すように患者の首を斜めに通してイメージを撮像することを容易にする。横方向に延長するクロスバー８４はストレッチャ２０のヘッドエンド３２付近で上部デッキ２４に固定されている。本発明の更なる態様に基づくと、アームボード７８は二つの側部３４，３６に隣接するピボットピン７８'によりクロスバー８４の両端に枢動可能に結合され、フットエンドに向かう第一位置と患者の腕を支持するためのフットエンドから離れて延出する第二位置との間で移動する。図４に示すように、枢動するアームボード７８によりうつ伏せの患者が頭上に腕を置きながらもアームボード７８により支持されることが可能となる。上部デッキ２４は二つの側部３６、３８に隣接して開口８０を形成して、開口８０に図１に示すプラグイン式のサイドレール８２を着脱可能に収容することができる。図１４に示すように、着脱可能なサイドレール８２により、サイドレール８２に妨げられることなく上部デッキ２４に支持された患者を頭から尾骨まで斜めにイメージを撮像することが可能となる。一つ或いは一つ以上の点滴用ポールがストレッチャ２０のヘッドエンド３２近傍でクロスバー８４に固定され、溶液用の容器或いは他の対象物を上部デッキ２４上の高い位置で保持する。上部デッキ２４のフットエンド部分８８は上部デッキ２４から遠ざけるように傾斜させることができ、上部デッキ２４にうつ伏せ状態に横たわる患者の足首を快適にサポートする。例示するように、上部デッキ２４は放射線透過性発泡プラスチック材により成型されガラス繊維外板が設けられている。ハンドル７２，７４、切り取り部７６、及びサイドレール開口８０は全て上部デッキ２４と一体に成型されることができる。
【００１７】
比較的狭いデッキ（約２０インチすなわち５０センチメートル）と、一番高く持ち上げられたデッキ２４の高い位置（床上から約４０インチすなわち１０２センチメートル）と、広く離間している液圧シリンダー５２、５４（約６０インチすなわち１５０センチメートル）との組合せにより不安定となることがある。これらの手順中に安定感は非常に重要であり、担架２４は動揺してはならない。また、担架２４は患者が乗り降りするときのためにも安定していなくてはならない。典型的には、手術室台は非常に重い基部を有し、安定性を確保している。重い基部は、可搬式である意図があるのなら、Ｘ線透視式ストレッチャには適していない。従って広い軸距（約２４インチすなわち６０センチメートル）及び狭い上部（約２０インチつまり５０センチメートル）が安定性のためには望ましく、図１４に示すように縦方向に延出する軸の周りでＣ形アーム４２の回転が可能となる。しかしながら、ストレッチャ２０の周りを歩く場合につまずく原因となるため、キャスタアッセンブリ３０或いはブレーキステアペダル１１４は上部デッキ２４より外に突出することはできない。本発明の更なる態様に基づくと、サイドハンドル７４及びアームボード７８は、デッキ２４より外側へ、基部に結合しているキャスタアッセンブリ３０及びブレーキステアペダル１１４より先へ延出する。従って、キャスタアッセンブリ３０及びブレーキステアペダル１１４は上部デッキ２４と、サイドハンドル７４と、アームボード７８との底面（footprint）内に納まる。
【００１８】
図５に示すように、基部２２はヘッドエンドクロスメンバー９２及びフットエンドクロスメンバー９４を含む。ヘッドエンド及びフットエンドクロスメンバー９２、９４は縦方向に離間した関係に二つの縦方向に延長する横に離間したサイドレール９６，９８により保持され、クロスメンバー９２，９４に取り付られている下方に延長するブラケット（図示しない）に固定されている。二つの長手方向に延長するサイドレール９６，９８は中間立ち下がり部分１００を有し、それはその端部（床２８から約１３インチすなわち３３センチメートル）より床２８に近く（床２８から約４インチつまり１０センチメートル）構成されている。基部２２の中間立ち下がり部分１００は、Ｃ形アーム４２用の中央イメージング領域（central imaging region）３００において二つの液圧シリンダー５２、５４の間で基部２２と上部デッキ２４との間により大きな縦のクリアランスを設けている。一方基部２２の高い端部分はより大きなキャスタアッセンブリ３０の使用を可能とする。短い端部セクション１０２は二つのサイドレール９６、９８の両端に取り付けられ、構造的剛性を与える。二つのクロスメンバー９２、９４の両端には、外側に延出する直角を有するブラケット１０４が結合されている。直角を有するブラケット１０４のそれぞれはキャスタアッセンブリ３０及びブレーキステアバタフライペダル１１４を支持する。クロス板１０６は二つのサイドレール９６、９８に基部２２のヘッドエンド３２付近で取り付けられ、フットエンド液圧シリンダー／ポンプアッセンブリ５２／５６を支持する。同様に、別のクロス板１０６は二つのサイドレール９６、９８に基部２２のフットエンド３２付近で取り付けられ、フットエンド液圧シリンダー／ポンプアッセンブリ５４／６４を支持する。クロス板９２，９４、サイドレール９６，９８及び短い端部セクション１０２は方形断面を有する延長したチューブの形であり、鉄或いはアルミニウムなどの剛性があり高強度の軽量材により形成される。
【００１９】
図５に示すように、長手方向に延長するブレーキステアシャフト１０８は基部２２の第二側部３８付近でサイドレール９８に摺動可能に回転可能に複数のブラケット１１０により取り付けられている。ブレーキステアシャフト１０８はその縦軸１１２の周りをブレーキステアバタフライペダル１１４の回転に応じて両方向へ回転して、両方向の矢印１１６に示されるように長手方向に並進可能であり、基部２２のフットエンド３４に結合したヘッドエンド圧力リリースペダル１８２の作動に応じてフットエンド３４に向かうか或いは遠ざかる。リンク機構アッセンブリ１２２がブレーキステアシャフト１０８と二つのブレーキステアペダル１１４とをストレッチャ２０のヘッドエンド３２で結合する。二つのリンク機構アッセンブリ１２２，１２４が互いに類似しているため、フットエンドリンク機構アッセンブリ１２４のみが説明される。
【００２０】
図６を参照すると、フットエンドリンク機構アッセンブリ１２４はクロスシャフト１２６を含み、クロスシャフト１２６はその端部がフットエンドクロスメンバー９４に結合した二つの外側に延長する直角を有するブラケット１０４に回転可能に支持されている。平面図でＣ形構成を有する別のブラケット１２８は、二つの直角を有するブラケット１０４の中間でクロスシャフト１２６を支持する。ブラケット１２８は二つの垂直に配置された側板１２８'を含み、それらは横後板（crosswise back plate）１２８''により横に離間した関係で保持される。後板１２８''はフットエンドクロスメンバー９４に取り付けられる。ブレーキステアペダル１１４はクロスシャフト１２６の両端に取り付けられる。曲げリンク１３０の第一端１３０'はブラケット１２８の二つの縦に延長する側板１２８'の間のクロスシャフト１２６に取り付けられ、第二端１３０''は連結リンク１３２の第一端１３２'に枢動可能に結合される。ショートリンク１３４の第二端１３４''はブレーキステアシャフト１０８のフットエンド３４に取り付けられる。
【００２１】
ブレーキステアペダル１１４は、（ａ）一般的に水平な中立位置と、（ａａ）ブレーキステアペダル１１４のブレーキ部分１３６が下方に傾いておりブレーキステアペダル１１４の半体ステア部分１３８が上方に傾いているブレーキ位置と、（ａａａ）ブレーキステアペダル１１４のステア部分１３８が下方に傾いておりブレーキステアペダル１１４のブレーキ部分１３６が上方に傾いているステア位置との三つの位置を有する。ブレーキステアペダル１１４が略水平の場合、キャスタアッセンブリ３０は旋回及び回転自在となる。略水平中立位置から、介護者はブレーキステアペダル１１４のブレーキ部分１３６を矢印１４０に指示される反時計回りのブレーキ方向へ押して、ブレーキ位置へと動かすことができる。ブレーキステアペダル１１４をブレーキ位置へ回転すると、ブレーキシュー（図示しない）をキャスタアッセンブリ３０と係合してキャスタアッセンブリ３０を所定位置でロックする。
【００２２】
ブレーキ位置から介護者はブレーキステアペダル１１４のステア部分１３８を押してブレーキステアペダル１１４を回転して水平中立位置に戻すことができる。ブレーキステアペダル１１４が中立位置のときには、介護者はブレーキステアペダル１１４のステア部分１３８を押して、クロスシャフト１２６を図６に示す矢印１４２が指示する時計回りのステア方向に回転してステア位置へと動かすことができる。クロスシャフト１２６のステア位置への回転により、曲げリンク１３０も時計回り方向１４２へと回転させて、その結果として、連結リンク１３２を矢印１４４に指示される下方方向へ移動させることにより、ショートリンク１３４とブレーキステアシャフト１０８とを図６に示す矢印１４６が指示する反時計回り方向へと回転する。ブレーキステアシャフト１０８を反時計回り方向１４６に回転することにより、ステアホイールアッセンブリ１５０が一組のステアホイール１５２を下げて床２８と係合させる。
【００２３】
図５、図７、及び図８に示すように、ステアリングホイール支持アッセンブリ１５０は、ホイール１５２（中央ホイール或いはステアリングホイールとも称する。）を並べて取り付けたシャフト１５４を有する。シャフト１５４は延長したホイール取付ブラケット１５６のフットエンド３４に取り付けられている。ホイール取付ブラケット１５６のヘッドエンド３２は、サイドレール９６，９８に取り付けられた端部を有するクロス板１５８に枢動可能に結合される。ホイール取付ブラケット１５６は、ステアリングホイール１５２が床２８から離間している図７に示す持ち上げられた位置と、ステアリングホイール１５２が床２８と係合している図８に示す下げられた位置との間で移動可能である。垂直に延出するばね１６０は、ホイール取付ブラケット１５６のフットエンド３４とサイドレール９６との間で延長する。垂直に延長するばね１６０は通常ホイール取付ブラケット１５６を床２８から離間した持ち上げた位置に付勢する。ホイール取付ブラケット１５６には、ブレーキステアシャフト１０８の方へ延出する下方へ傾いている端部分１６４を有する横に延出するカム板１６２が取り付けられている。カム板１６２の下方へ傾いている端部分１６４はブレーキステアシャフト１０８に取り付けられたカム１６６と係合するように構成されている。上記で説明したように、ブレーキステアペダル１１４のステア部分１３８の時計回り方向１４２へのステア位置への回転により、ブレーキステアシャフト１０８が図６に示す反時計回り方向１４６に回転することになる。ブレーキステアシャフト１０８が反時計回り方向１４６に回転することにより、そこに取り付けられたカム１６６も図７に示す矢印１６８に指示される反時計回り方向に回転する。カム１６４が反時計回り方向１６８に回転することで、ホイール取付ブラケット１５６が矢印１７９に指示される下方向に移動して、図８に示すように床２８をステアホイール１５２と係合させる。
【００２４】
図６に示すように、上部デッキリフティング機構５０はフットポンプペダル１８０と、ヘッドエンド圧力リリースペダル１８２と、フットエンド圧力リリースペダル１８４とを備える。ペダル１８０〜１８４は、ストレッチャ２０のフットエンド３４付近で基部２２に枢動可能に結合されて、上部デッキ２４のヘッドエンド３２及びフットエンド３４の垂直移動を制御する。圧力リリースペダル１８２，１８４は、図６に示すそれらの略水平な作動位置から、それぞれの略垂直の収納された作動しない位置へはね上げることができる。
【００２５】
図１〜３、５、及び６を参照すると、作動部材１８６は外側に延長する略水平部分１８８と、中間基礎部分１９０と、下方に延長する略垂直部分１９２とを含む。フットポンプペダル１８０は、略水平に外側に延出する部分１８８の自由端に固定されている。図５に示すように、作動部材１８６の基礎部分１９０は、ストレッチャ２０のフットエンド３４付近のサイドレール９６，９８に回転可能に結合されたクロスシャフト１９４に取り付けられている。図１〜３に示すように、作動部材１８６の略垂直部材１９２の自由端は、直角の部材１９６を通して長手方向に延長する交互に取り付けられたシャフト１９８のフットエンド３４に結合され、フットポンプペダル１８０の縦の往復運動によりシャフト１９８の水平の往復運動が起こる。図５に示す両矢印２０２が指示する方向へストレッチャ２０のフットエンドに向かったり離れたりする動作のために、長手方向に延長するシャフト１９８はストレッチャ２０の第一側部３６（長手方向に延長するブレーキステアシャフト１０８から反対側）付近でサイドレール９６に複数のブラケット２００により摺動可能に取り付けられる。長手方向に延長するシャフト１９８は、ストレッチャ２０のヘッドエンド３２付近でヘッドエンド液圧式ポンプ６２に結合され（図１〜３）、ストレッチャ２０のフットエンド３４付近でフットエンド液圧式ポンプ６４に結合されている。図１〜３に示すように、略水平に延長するばね２０４は、略垂直部分１９２の自由端とサイドレール９６のフットエンド３４との間に結合されてフットペダルポンプ１８０を図６に示す上方へ略水平に持ち上げられた位置へ付勢する。概して持ち上げられた水平位置から介護者はフットポンプペダル１８０を押して、長手方向に延長するシャフト１９８をストレッチャ２０のフットエンド３４に向かって移動することができる。そして介護者はフットポンプペダル１８０への圧力を解放して、略水平に延長するばね２０４が長手方向に延長するシャフト１９８をストレッチャ２０のフットエンド３４から引き離して、図６に示すようにフットポンプペダル１８０を上方に略水平に持ち上げられた位置に持ち上げることができる。そして介護者は再度フットポンプペダル１８０を押すことができる。シャフト１９８の往復動作によりポンプ６２，６４が液体を液圧シリンダー５２，５４のそれぞれに注入して、逆にそのことにより上部デッキ２４を上昇させる。
【００２６】
図６に示すように、作動部材２１０は外側に延長する略水平部分２１２と、中間基礎部分２１４と、下方に延長する略垂直部分２１６とを含む。ヘッドエンド圧力リリースペダル１８２は、略水平部分２１２の自由端に結合されている。作動部材２１０の基礎部分２１４は、ストレッチャ２０の第二側部３８付近のサイドレール９８のフットエンド３４に取り付けられたＣ形ブラケット２１８に枢動可能に結合されている。下方延長部分２１６の自由端は、フットエンド３４付近でブレーキステアシャフト１０８に固定されている横板２２０と係合するように構成されている。介護者はヘッドエンド圧力リリースペダル１８２を図６に示す略水平位置から押して、作動部材２１０の下方延長部分２１６を矢印２２２に指示されるように時計方向に回転させる。略垂直部分２１６が時計方向２２２に回転することにより、横板２２０及びそこに結合されているブレーキステアシャフト１０８とをストレッチャ２０のヘッドエンド３２に向かって押す。ブレーキステアシャフト１０８がストレッチャ２０のヘッドエンド３２に向かって移動すると、図５に示すように、ブレーキステアシャフト１０８に結合された横取付アクチュエータ２２４がヘッドエンド液圧式ポンプ６２に結合された圧力リリースピン及びボタン２２６を押して、ヘッドエンド液圧シリンダー５２の圧力を解放して、次に上部デッキ２４のヘッドエンド３２を下げる。図５に示すように、圧力リリースペダル１８２が解放されたときに、ブレーキステアシャフト１０８とサイドレール９８との間に結合された略水平延長ばね２２８はブレーキステアシャフト１０８を付勢してその元の位置へ戻す。
【００２７】
作動部材２４０は、外側に延出する略水平部分２４２と、中間基礎部分２４４と、下方延出略垂直部分２４６とを含む。フットエンド圧力リリースペダル１８４は、略水平部分２４２の自由端に結合されている。作動部材２４０の基礎部分２４４は、ストレッチャ２０の第二側部３８付近でサイドレール９８のフットエンド３４に取り付けられたＣ形ブラケット２４８に枢動可能に結合されている。フットエンド圧力リリースペダル１８４が押されると、下方延長部分２４６の自由面がフットエンド液圧式ポンプ６４に結合された圧力リリースピン及びボタンを押して、フットエンド液圧シリンダー５４内の圧力を解放して、その後上部デッキ２４のフットエンド３４を下降する。
【００２８】
図９〜１２を参照すると、放射線透過性上部デッキ２４のヘッドエンド３２がヘッドエンド液圧シリンダー５２にヘッドエンド支持アッセンブリ３０２により結合され、デッキ２４のフットエンド３４はフットエンド液圧シリンダー５４にフットエンド支持アッセンブリ３０４により結合されている。前述の通り、ヘッドエンドシリンダー５２は上部デッキ２４のヘッドエンド３２の垂直位置を制御して、フットエンドシリンダー５４は上部デッキ２４のフットエンド３４の垂直位置を制御する。図１〜３に示すように、ヘッドエンド及びフットエンド支持アッセンブリ３０２，３０４は広く離間しており（約６０インチつまり１５０センチメートル）、イメージングを妨害するいかなる金属構造をも有さないヘッドエンド及びフットエンド液圧シリンダー５２，５４との間の基部２２上の中央イメージング領域３００を画定する。二つの支持アッセンブリ３０２，３０４（ヘッドエンド及びフットエンドコネクターと称することがある。）は、上部デッキ２４を基部２２に固定して、その間ストレッチャ２０のフットエンド３４に向かって上部デッキ２４が並進することにより、Ｃ形アーム４２がデッキ２４に支持される患者の首から尾骨の間のどの位置にも配置されるか図１３に示す適切な角度に傾けられるか、或いは障害が無く患者の下からＣ形アームを引き出す必要が無く図１４に示す縦から水平の配向に回転させられる。例えば、Ｃ形アーム４２はストレッチャ２０のヘッドエンド３２付近に配置され図１３に示すように傾けられて、患者の首を通してイメージを斜めに撮像することができる。
【００２９】
図９及び図１０に示すように、ヘッドエンド支持アッセンブリ３０２は略長方形外側フレーム３１４内に納まる略長方形内側フレーム３１２を含む。内側及び外側フレーム３１２，３１４は互いにそれぞれのフットエンド３４付近で枢動可能に結合され、第一横延出軸３１６の周りを回転する。内側フレーム３１２は、内方開口溝の形の第一及び第二の長手方向に延長しているサイドレール３２２，３２４を含む。長手方向に延長するサイドレール３２２、３２４は、円形のチューブの形のヘッドエンドクロス部材３３２と角形チューブの形のフットエンドクロス部材３３４とにより横に離間した関係で保持される。ヘッドクロス部材３３２は、ヘッドエンド液圧シリンダー５２にナットとボルトアッセンブリ３３６により固定して取り付けられる。一方、外側フレーム３１４は、外側に開いている溝の形の第一及び第二長手方向に延長するサイドレール３４２，３４４を含む。長手方向に延長するサイドレール３４２及び３４４は、方形チューブの形のヘッドエンドクロス部材３５２と外側フレーム３１４の上側に取り付けられた矩形板の形のフットエンドクロス部材３５４とにより横に離間した関係で保持される。内側サイドレール３２２，３２４のフットエンド３４と外側サイドレール３４２，３４４のフットエンド３４は互いに枢動ピン３５８で枢動可能に結合され、横延出軸３１６の周りを回転する。内側及び外側フレーム３１２，３１４を枢動可能に結合することにより、上部デッキ２４が図２に示すトレンデレンベルグ体位か図３に示す逆トレンデレンベルグ体位へと枢動される。
【００３０】
上部デッキ２４の下面は、二つの長手方向に延長する横に離間したガイド溝３６２を含んで形成され、ガイド溝３６２はピボットピン３５８で自由に回転可能なホイール３７２の縁部分を収容する。ホイール３７２は、内側及び外側フレーム３１２，３１４のフットエンド３４に隣接する、内側サイドレール３２２，３２４の外壁と外側サイドレール３４２、３４４の内壁の間に配置される。外側フレーム３１４の外方開口溝３４２，３４４は、上部デッキ２４の下面に取り付けられた一対のローラー３８２を収容して一対の下方に突き出ているブラケット３９２により第二の横延出軸３８６の周りを回転するように構成される。図１０に示されるように、内側に開く溝の形の一対のガード部材４０２が外方開口溝３４２、３４４に、底面に取り付けられた板部材４１２により結合され、上部デッキ２４の下面に取り付けられたローラー３８２を収容するための格納された軌道４１６を形成する。外側溝部材３４２，３４４の外側に向いている上辺４１８とガード部材４０２の内側に向いている上辺４２０とにより長手方向に延長する溝や溝穴４２２を上部デッキ２４の二辺に沿って形成してローラー支持ブラケット３９２を摺動可能に収容する。上部デッキ２４の下面に取り付けられているローラー３８２を格納された軌道４１６に収容することにより上部デッキ２４のヘッドエンド３２を基部２２に固定して、上部デッキ２４が基部２２に対してある範囲内で長手方向に並進する。
【００３１】
図１１及び図１２を参照すると、フットエンド支持アッセンブリ３０４は、フットエンド液圧シリンダー５４にナットとボルトアッセンブリ４２６により固定して取り付けられる円形チューブの形のクロス部材４２４を含む。上方に突き出るブラケット４３２は管状のクロス部材４２４の各端に枢着され第三の横延出軸４３６の周りを回転する。フットエンドクロス部材４２４に対するブラケット４３２の枢動動作により、上部デッキ２４が図２に示すトレンデレンベルグ体位か図３に示す逆トレンデレンベルグ体位に枢動され得る。各ブラケット４３２は一対のローラー４４２を支持して、ローラーはフットエンド３４に隣接して上部デッキ２４の下面に取り付けられている第一及び第二長手方向に延長する内側に開いている溝４５２に収容されるように構成されている。上部デッキ２４の下面に取り付けられた内側に開いている溝４５２にクロス部材４２４に取り付けられたローラー４４２を収容することで、上部デッキ２４のフットエンド３４を位置づけることができ、上部デッキ２４は基部２２に対して所定の範囲内で長手方向に並進することができる。
【００３２】
図１に示すように上部デッキ２４が水平のときには、患者の体重はストレッチャ２０のヘッドエンド３２付近でローラー３８２及びストレッチャ２０のフットエンド３４付近のローラー４４２に伝えられる。ストレッチャ２０のヘッドエンド３２付近のローラー３８２にかかる患者の体重は外側サイドレール３４２，３４４に伝達され（図９に示すように外側サイドレール３４２，３４４を付勢して横延出軸３１６の周りを時計方向に回転させ）、そして上部クロス板３５４を通して内側フレーム３１２に伝えられ、再びヘッドエンドクロス部材３３２を通してヘッドエンド液圧シリンダー５２に伝達される。一方、ストレッチャ２０のフットエンド３４付近のローラー４４２にかかる患者の体重は枢着されたブラケット４３２を通してフットエンドクロス部材４２４に伝達され、フットエンドクロス部材４２４を通してフットエンド液圧シリンダー５４に伝達される。
【００３３】
上部デッキ２４を図１に示す水平位置から図２に示すトレンデレンベルグ体位に移動するために、ストレッチャ２０のフットエンド３４に結合されたヘッドエンド圧力リリースペダル１８２を使用してヘッドエンド液圧シリンダー５２内の液圧が解放され、ヘッドエンドクロス部材３３２が下降する。ヘッドエンドクロス部材３３２が下降すると、内側と外側フレーム３１２及び３１４が両方下がり、上部デッキ２４がストレッチャ２０のヘッドエンド３２付近でローラー３８２の軸３８６とストレッチャ２０のフットエンド３４付近の枢着されたブラケット４３２の軸４３６の周りを枢動する。トレンデレンベルグ体位においては、患者の体重はストレッチャ２０のヘッドエンド３２付近のローラー３８２とストレッチャ２０のフットエンド３４付近のローラー４４２に伝えられる。ストレッチャ２０のヘッドエンド３２付近のローラー３８２にかかる患者の体重は外側サイドレール３４２に伝達され（図２に示すように外側サイドレール３４２，３４４を横延出軸３１６の周りを時計方向に回転するように付勢して）、そして上部クロス板３５４を通して内側フレーム３１２に移動され、最終的にヘッドエンドクロス部材３３２を通してヘッドエンド液圧シリンダー５２に伝達される。一方、ストレッチャ２０のフットエンド３４付近のローラー４４２にかかる患者の体重は、枢着されたブラケット４３２を通してフットエンドクロス部材４２４へ、そしてそのフットエンドクロス部材４２４を通してフットエンド液圧シリンダー５４へと伝達される。
【００３４】
上部デッキ２４を図１に示す水平位置から図３に示す逆トレンデレンベルグ体位に移動するために、ストレッチャ２０のフットエンド３４に結合されているフットエンド圧力リリースペダル１８４を使用してフットエンド液圧シリンダー５４の液圧が解放され、ヘッドエンドクロス部材４２４が下がる。フットエンドクロス部材４２２が下に移動すると、図３の方向４６０へとストレッチャ２０のヘッドエンド３２付近のホイール３７２の軸３１６の周りを外側フレーム３１４が枢動する。一方、上部デッキ２４はストレッチャ２０のヘッドエンド３２付近のホイール７２の軸３１６とストレッチャ２０のフットエンド３４付近の枢着されたブラケット４３２の軸４３６の周りを枢動する。逆トレンデレンベルグ体位においては、患者の体重はストレッチャ２０のヘッドエンド３２付近のホイール３７２と、ストレッチャ２０のフットエンド３４付近のローラー４４２に伝達される。ストレッチャ２０のヘッドエンド３２付近のホイール３７２にかかる患者の体重は枢動ピン３５８を通して内側フレーム３１２に伝えられ、そしてヘッドエンドクロス部材３３２を通してヘッドエンド液圧シリンダー５２に伝達される。一方、ストレッチャ２０のフットエンド３４付近のローラー４４２にかかる患者の体重は枢着されたブラケット４３２を通してフットエンドクロス部材４２４に伝達され、そしてフットエンドクロス部材４２４を通してフットエンド液圧シリンダー４３に伝達される。
【００３５】
従って、ヘッドエンド及びフットエンド支持アッセンブリ３０２及び３０４の新規な構成はストレッチャ２０のフットエンド３４に向かって上部デッキ２４が移動することができ、Ｃ形アーム４２がデッキ２４に支持されている患者の首から尾骨の間のどの部位にも配置されることができ、或いは図１３に示すように横延出軸の周りに傾けられたり、或いは図１４に示すように長手方向に延出する軸の周りを支障なく及びＣ形アームを患者の下から引き出す必要もなく、回転できる。支持アッセンブリ３０２、３０４により、図１に示すように上部デッキ２４全体が上げられたり下げられたり、上部デッキ２４を図２に示すトレンデレンベルグ体位か図３に示す逆トレンデレンベルグ体位に移動することができる。
【００３６】
図１１及び図１２に示すように、上部デッキロック機構４７０が設けられ、上部デッキ２４を基部２２に対して長手方向の所定の位置にロックする。上部デッキロック機構４７０は、上部デッキ２４のフットエンド３４の下面に取り付けられた長手方向に延長するロッキングロッド４７２を含み、これは一組の下方に突き出るブラケット４７４によりストレッチャ２０の第一側部３６付近に取り付けられている。ロッド４７２の周りにクランプ４７６が配置され、ブラケット４７８によりフットエンドクロス部材４２４に固定されている。通常クランプ４７６は付勢され、ロッド４７２を掴み上部デッキ２４を位置決めしてロックする。上部デッキリリースバー４８０は、ストレッチャ２０の第一側部３６付近のフットエンドサイドハンドル６４に隣接してサイドレール４５２に枢着される。通常リリースバー４８０はサイドハンドル６４から離れた方向へと付勢される。ケーブル４８２は一端４８４がリリースバー４８０に固定され、第二端４８６がクランプ４７６に固定される。上部デッキ６０を解放するために、リリースバー４８０はサイドハンドル６４に向かって持ち上げられる。リリースバー４８０が持ち上げられると、リリースバー４８０に取り付けられたケーブル４８２の端４８４が引かれる。ケーブル４８２の端４８４が引っぱられると、クランプ４７６に固定されたケーブル４８２の第二端４８６がクランプ４７６を引き開いてロッキング棒４７２を解放し、次に上部デッキ２４が解放され基部２２に対して長手方向に移動できる。
【００３７】
本発明は特定の好ましい実施例を参照して詳細に説明されたが、添付の請求の範囲に記載され画定される本発明の範囲及び精神から逸脱せずに、補正例及び変形例が存在する。
【図面の簡単な説明】
【図１】  図１は、本発明によるイメージングストレッチャの側面図であり、比較的低い基部の上に支持される比較的狭い上部デッキを示し、上部デッキは広く離間して放射線透過性でない部品がない中央イメージング領域を形成する一組の液圧シリンダーに支持され、ストレッチャのフットエンドに向かい移動するために上部デッキは基部に取り付けられて、上部デッキが下げられた位置を想像線で更に示す。
【図２】  図２は、図１と同様の側面図であり、患者の足が頭部より上に持ち上げられているトレンデレンベルグ体位にある上部デッキを示す。
【図３】  図３は、図１及び図２と同様の側面図であり、患者の頭部が足より上に持ち上げられている逆トレンデレンベルグ体位にある上部デッキを示す。
【図４】  図４は、図１〜３のストレッチャの平面図であり、上部デッキは、ヘッドエンド付近にプッシュハンドルと、フットエンド付近に下方に傾斜した一組のサイドハンドルと、上部デッキにうつ伏せの状態で横になる患者の顔用の空間を設けるためにヘッドエンド付近の切り取り部と、患者の腕を支えるための上部デッキのヘッドエンド付近に枢動可能に結合された一組のアームボードと、一組のサイドレールを着脱可能に収容するための上部デッキの二つの側部に隣接した一組の開口と、一つあるいは一つ以上の点滴用ポールを支持するために上部デッキのヘッドエンド付近のクロスバーとを含む。
【図５】  図５は、上部デッキ及び基部を覆う離隔板がないストレッチャシャーシの平面図であり、基部は、二つの縦方向に延長して横手方向に離間したサイドレールにより縦方向に離間した関係で保持される二つのクロスメンバーと、横に離間したサイドレールと、二つのクロスメンバーの各端部に結合されたキャスタアッセンブリと、ヘッドエンドとフットエンドとの液圧ポンプ／シリンダーアッセンブリを支えるために二つのサイドレールにその端部が取り付けられているクロスプレートと、二つのクロスメンバーの中間に二つのサイドレールに移動可能に結合されるステアリングホイール支持アッセンブリ、ステアリングホイール支持アッセンブリに結合された縦方向に延長する摺動可能に装着したブレーキステアシャフトと、二つのクロスメンバーの各端部に枢動可能に取り付けられたブレーキステアバタフライペダルと、フットエンド付近で基部に移動可能に結合されたヘッドエンド及びフットエンド圧力リリースペダルと、フットエンド付近で基部に取り付けられて液圧シリンダーに液体を注入するための液圧ポンプに結合されたフットポンプとを含む。
【図６】  図６は、基部のフットエンドの側面図であり、フットエンドクロスメンバーと、クロスメンバーに結合された二つの縦方向に延長するサイドレールと、ブレーキステアシャフトに結合されたブレーキステアバタフライペダルと、基部のフットエンドに結合された一組の液圧リリースペダルと、ヘッドエンド圧力リリースペダルとブレーキステアシャフトとを結合する結合アッセンブリと、基部及び液圧ポンプに結合されているフットポンプペダルとを示す。
【図７】  図７は、図５の線７−７に沿った断面図であり、サイドレールに移動可能に結合され、床から離間して持ち上げられて配置されたステアリングホイール支持アッセンブリを示す。
【図８】  図８は、図７と同様の断面図であり、ステアリングホイール支持アッセンブリが下降して床と結合した位置の配置を示す。
【図９】  図９は、上部デッキのヘッドエンドをヘッドエンド液圧シリンダーに結合する支持アッセンブリを示し、ヘッドエンド支持アッセンブリは互いに重ねて収納されている二つの略長方形フレームを含み、長方形フレームはその個々のフットエンド付近で横に延長する軸の周りでの回転のため一組の枢動ピンにより互いに枢動可能に結合されており、上部デッキの二つの側部に隣接してヘッドエンド付近で上部デッキの下方面に形成された二つの縦方向に延長した横に離間しているガイド溝を示し、溝は枢動ピンに回転可能に取り付けられた一組のホイールの縁部を収容して、更に上部デッキの二つの側部に隣接するヘッドエンド付近で上部デッキの下面に一対の下方に突き出ているブラケットにより取り付けられ、外側長方形フレームに形成される一対の外方開口溝に収容される一対のローラーを示す。
【図１０】  図１０は、上部デッキのヘッドエンドの図９の線１０−１０に沿った断面図を示し、二つの略長方形収納フレームと、上部デッキの下方面に結合して外側の長方形フレームに形成された外方に開口している溝に収容されるローラーと、内側長方形フレームのクロスメンバーにナットとボルトアッセンブリで結合されたヘッドエンド液圧シリンダーとを示す。
【図１１】  図１１は図４の線１１−１１に沿った上部デッキのフットエンドの断面図であり、サイドハンドルは一部切断され、フットエンドクロス部材はフットエンド液圧シリンダーにナットとボルトアッセンブリにより結合され、上方に突き出ているブラケットはフットエンドクロス部材の一端に枢動可能に結合され一対のローラーを支持して、ローラーはフットエンド付近の上部デッキの下面に結合された内側に開いているサイドレールにその片側が隣接して収容され、所定の範囲内で上部デッキの長手方向への移動を支持するように構成され、長手方向に延長するロッキング棒はその一端がフットエンド付近で上部デッキの下面に取り付けられ、クランプはフットエンドクロス部材に支持されロッキング棒の周りに配置され、クランプは通常ロッキング棒をしっかりと掴み摺動する上部デッキを所定の長手方向の位置へロックして、リリースバーは上記デッキに枢着されクランプに結合されており、作動すると上記デッキを解放することで介護者が上部デッキの長手方向の位置を調節することができるようになる。
【図１２】  図１２は、図１１の線１２−１２に沿った上部デッキのフットエンドの断面図であり、一部切断されたサイドハンドルと、フットエンド付近の上部デッキの下面にその一端に隣接して結合され、内側に開いているサイドレールに収容される想像線で描かれた二つのローラーと、上部デッキのフットエンド付近でローラーを支持するフットエンドクロス部材に枢着される上方に突き出るブラケットと、上部デッキの下面に取り付けられるロッキング棒と、ロッキング棒の周りに配置されるクランプと、リリースバーをクランプに結合するケーブルとを示す。
【図１３】  図１３は、図１と同様の側面図であり、ストレッチャのフットエンドに向かって摺動した上部デッキを点線で示し、首を通してイメージを撮像するために上部デッキに支持された患者の頭の隣に位置して横に延出する軸の周りで傾けられるＣ形アームを実線で更に示し、患者の腰の隣に位置して尾骨を通して斜めにイメージを撮像するように傾けられたＣ形アームを想像線で更に示す。
【図１４】  図１４は、ストレッチャの端面図であり、イメージング領域のサイドレール或いはどのような他の金属構造の妨害も無く、長手方向に延出する軸の周りを回転して上部デッキに支持されている患者の頭部を通してイメージを撮像するＣ形アームを示す。
【図１５】  図１５は、図４と同様の平面図であり、上部デッキにうつ伏せの状態で寝かされている患者の顔のために十分な空間を設けるためにヘッドエンド付近に切り取り部を含む上部デッキを示す。
【図１】
0004806152.tif 000002
【図２】
0004806152.tif 000003
【図３】
0004806152.tif 000004
【図４】
0004806152.tif 000005
【図５】
0004806152.tif 000006
【図７】
0004806152.tif 000007
【図８】
0004806152.tif 000008
【図６】
0004806152.tif 000009
【図９】
0004806152.tif 000010
【図１０】
0004806152.tif 000011
【図１１】
0004806152.tif 000012
【図１２】
0004806152.tif 000013
【図１３】
0004806152.tif 000014
【図１４】
0004806152.tif 000015
【図１５】
0004806152.tif 000016